(57)【要約】【課題】  車両用電子キーシステムのセキュリティ性と利便性とを両立させる。【解決手段】  車両用電子キーシステムにおいて、使用者に携帯される携帯機３の本体２１に設けられた収納部３９には、エマージェンシーキー３７が収納されるが、そのエマージェンシーキー３７には、携帯機本体２１内に設けられている通信手段としてのトランスポンダ３５とは別に、携帯機の追加登録時に正規ユーザーであることを車載装置に認識させるためのキー登録認証用ＩＤコードを送信するトランスポンダ４１が内蔵されている。また、携帯機本体２１の収納部３９には、トランスポンダ４１が内蔵されていないエマージェンシーキー３７’も収納可能となっている。【選択図】  図２
2005083011.tif 000002
【特許請求の範囲】
【請求項１】
車両に搭載された車載装置へＩＤ情報を送信する通信手段を本体内に備えると共に、前記本体に設けられた収納部にメカニカルなエマージェンシーキーが着脱可能に収納される車両用電子キーシステムの携帯機であって、
携帯機登録時に正規ユーザーであることを前記車載装置に認識させるための第２のＩＤ情報が、前記エマージェンシーキーに付加されていること、
を特徴とする車両用電子キーシステムの携帯機。
【請求項２】
請求項１に記載の車両用電子キーシステムの携帯機において、
前記第２のＩＤ情報は、電子式のＩＤ情報であり、
前記エマージェンシーキーには、前記車載装置から送信される要求に応じて前記第２のＩＤ情報を送信する第２の通信手段が備えられていること、
を特徴とする車両用電子キーシステムの携帯機。
【請求項３】
請求項２に記載の車両用電子キーシステムの携帯機において、
前記第２の通信手段は、トランスポンダであること、
を特徴とする車両用電子キーシステムの携帯機。
【請求項４】
車両の使用者に携帯される携帯機の本体内に備えられた通信手段が、前記車両に搭載された車載装置から送信される要求に応じてＩＤ情報を送信し、
前記車載装置が、前記携帯機から受信したＩＤ情報と記憶部に登録されているＩＤ情報とが一致していると判定すると、所定の動作を行う車両用電子キーシステムであって、
前記携帯機が、請求項２又は請求項３に記載の携帯機であり、
前記車載装置は、前記記憶部にＩＤ情報を登録する登録モードへ移行して良いか否かを判断する際には、前記携帯機の本体内に備えられた通信手段（以下、第１の通信手段という）と前記エマージェンシーキーに備えられた第２の通信手段とのうち、前記第２の通信手段のみが反応する要求を送信し、前記所定の動作を行うか否かを判断する際には、前記第１の通信手段と前記第２の通信手段とのうち、前記第１の通信手段のみが応答する要求を送信するように構成されていること、
を特徴とする車両用電子キーシステム。
【発明の詳細な説明】
【技術分野】
【０００１】
本発明は、車両用電子キーシステムに関するものである。
【背景技術】
【０００２】
従来より、自動車においては、車両の使用者に携帯される携帯機が、車載装置から送信される要求に応じてＩＤ情報を送信し、車載装置が、携帯機から受信したＩＤ情報と当該車載装置のメモリ内に予め登録されているＩＤ情報とが一致していれば、ドアの施解錠やエンジンの始動又は許可といった所定の動作を行う電子キーシステムが知られている。
【０００３】
また、この種の電子キーシステムでは、携帯機の電池の電力が無くなった場合に備えて、その携帯機の本体に設けられた収納部に、メカニカルなキー（キープレート）であるエマージェンシーキーを着脱可能に収納しておくようにしている（例えば、特許文献１参照）。
【０００４】
また更に、この種の電子キーシステムにおいては、使用者の増加に対応可能とするために、車載装置は、携帯機の追加登録が行えるように構成される。つまり、車載装置のメモリ内に登録されて携帯機からのＩＤ情報と比較されるＩＤ情報（登録コード）を、追加することができるように構成されるのである（例えば、特許文献２参照）。
【０００５】
ここで、携帯機の追加登録を行う際には、セキュリティ性の観点から、その登録を実施しようとしている人が正規ユーザーであることを車載装置に認識させる必要がある。
そして、従来より、このような携帯機登録時に正規ユーザーであることを車載装置に認識させるためのＩＤ情報（以下、キー登録認証用ＩＤ情報という）としても、携帯機の本体に内蔵されている通常動作用のＩＤ情報を用いていた。
【０００６】
つまり、車両の購入者に対しては、携帯機登録の認証が可能なマスタキーとしての携帯機が手渡されるようになっていた。そして、車載装置は、何らかの操作を施すと、メモリに携帯機のＩＤ情報を登録する登録モードへ移行して良いか否かを判断する状態となり、その状態で、上記マスタキーの本体に内蔵されているＩＤ情報と同じＩＤ情報が入力された場合に限り、登録モードへ移行して、その後は、予め定められた手順に従い、新規の携帯機から送信されて受信したＩＤ情報をメモリに登録するようになっている。尚、キー登録認証用ＩＤ情報の車載装置への入力は、マスタキーから無線送信させたり、別の専用装置から有線を介して入力させることなどが考えられる。
【０００７】
また、キー登録認証用ＩＤ情報としては、携帯機とは無関係の部材であって、通常は携帯しないカード状やプレート状などの専用部材に内蔵させたＩＤ情報を用いることも考えられる。
【特許文献１】特開２００２−３２２８４１号公報（図３）
【特許文献２】特開２０００−６４６８０号公報
【発明の開示】
【発明が解決しようとする課題】
【０００８】
ところで、キー登録認証用ＩＤ情報として、マスタキーの本体に内蔵されている通常動作用のＩＤ情報を使用する場合と、携帯機とは無関係の専用部材に内蔵させたＩＤ情報を使用する場合とでは、それぞれ下記（１），（２）の問題がある。
【０００９】
（１）まず、キー登録認証用ＩＤ情報として、マスタキーの本体に内蔵されているＩＤ情報を使用する場合には、レンタカー等で車を借りた人が、勝手に新規の携帯機を追加登録し、車を返した後で、その追加登録した合い鍵としての携帯機を用いて車を盗むことができてしまう。よって、セキュリティ性に問題がある。
【００１０】
（２）また、キー登録認証用ＩＤ情報として、携帯機とは無関係の専用部材に内蔵させたＩＤ情報を使用する場合には、車を貸す相手にその専用部材を渡さなければ、新規の携帯機が勝手に追加登録されてしまうことを防止することができ、セキュリティ性は確保できるものの、利便性が悪いという欠点がある。つまり、通常携帯しない専用部材では紛失してしまい易く、また、携帯機の追加登録をしたいと思ってカーディーラーなどに出向く際に、その専用部材を持っていくのを忘れてしまう可能性も高いため、いざという時に必要なサービスを即座に受けることができないという事態が起こり易いのである。
【００１１】
本発明は、こうした問題に鑑みなされたものであり、車両用電子キーシステムのセキュリティ性と利便性とを両立させることを目的としている。
【課題を解決するための手段】
【００１２】
上記目的を達成するためになされた請求項１に記載の車両用電子キーシステムの携帯機は、当該携帯機の本体内に、車両に搭載された車載装置へＩＤ情報を送信する通信手段を備えている。そして更に、この携帯機では、本体に設けられた収納部にメカニカルなエマージェンシーキーが着脱可能に収納されるが、そのエマージェンシーキーに、携帯機登録時に正規ユーザーであることを車載装置に認識させるための第２のＩＤ情報が付加されている。
【００１３】
このような請求項１の携帯機では、通常、本体の収納部に収納されているバックアップ用のエマージェンシーキーに、キー登録認証用ＩＤ情報としての第２のＩＤ情報を付加しているため、上記（２）の問題を解決することができる。
【００１４】
また、車を人に貸す場合には、携帯機本体の収納部からエマージェンシーキーを取り出して、そのエマージェンシーキーの無い携帯機本体だけを、車を貸す相手に渡すようにすれば、上記（１）の問題を回避することができる。
【００１５】
尚、この場合、車を借りた人は、エマージェンシーキーを持たないため、携帯機本体の電池が切れた際にエマージェンシーキーによるバックアップ機能を利用することができず、また、エマージェンシーキーが、車のトランクや車室内のグローブボックスを開けるためにも用いられるものであるならば、そのトランクやグローブボックスを開けることができないことが考えられる。
【００１６】
そこで、車を貸す相手にエマージェンシーキーの無い携帯機本体だけを渡すようにするのは、ホテルやレストランなどで車を従業員に一時的に運転させるような場合に行うようにし、レンタカー業務のように車を本格的に貸し出す場合には、第２のＩＤ情報が付加されていないエマージェンシーキー（以下、ＩＤ情報レスのエマージェンシーキーという）を用意し、第２のＩＤ情報が付加されたエマージェンシーキーに代えて、そのＩＤ情報レスのエマージェンシーキーを本体の収納部に収納させた携帯機を、車を貸す相手に渡すようにすれば良い。このようにすれば、上記（１）の問題を回避しつつ、車を貸した相手にエマージェンシーキーの本来の機能を利用させることができるようになる。
【００１７】
ところで、エマージェンシーキーに第２のＩＤ情報を付加する手法としては、例えば、第２のＩＤ情報としての文字や数字を、エマージェンシーキーに彫り込んだり、貼り付けたり、印刷するなどして、表記しておくことが考えられる。
【００１８】
また、請求項２に記載のように、第２のＩＤ情報を電子式のＩＤ情報とし、エマージェンシーキーに、車載装置から送信される要求に応じて第２のＩＤ情報を送信する第２の通信手段を設けるようにしても良い。このようにすれば、エマージェンシーキーに付加された第２のＩＤ情報を車載装置に容易に読み取らせることができ有利である。
【００１９】
そして更に、この場合、第２の通信手段は、電池で駆動される通信手段でも良いが、請求項３に記載の如くトランスポンダとすることが好ましい。トランスポンダであればエマージェンシーキーに電池を内蔵する必要がなく、電池で駆動される通信手段を用いるよりも小型化が可能であるからである。
【００２０】
次に、請求項４に記載の車両用電子キーシステムは、車両の使用者に携帯される携帯機と、車両に搭載された車載装置とからなる。そして、この車両用電子キーシステムでは、携帯機の本体内に備えられた通信手段が、車載装置から送信される要求に応じてＩＤ情報を送信し、車載装置が、携帯機から受信したＩＤ情報と記憶部に登録されているＩＤ情報とが一致していると判定すると、所定の動作を行う。
【００２１】
ここで特に、この車両用電子キーシステムでは、携帯機が、請求項２又は請求項３の携帯機である。そして、車載装置は、前記記憶部にＩＤ情報を登録する登録モードへ移行して良いか否かを判断する際には、携帯機の本体内に備えられた通信手段（以下、第１の通信手段という）とエマージェンシーキーに備えられた第２の通信手段とのうち、第２の通信手段のみが反応する要求を送信し、また、前記所定の動作を行うか否かを判断する際には、前記第１の通信手段と前記第２の通信手段とのうち、第１の通信手段のみが応答する要求を送信するように構成されている。
【００２２】
このような請求項４の車両用電子キーシステムによれば、携帯機本体内の第１の通信手段とエマージェンシーキーに備えられた第２の通信手段とのうち、車載装置が登録モードへ移行して良いか否かの認証時には、第２の通信手段のみが第２のＩＤ情報を送信することとなり、車載装置が所定の動作を行って良いか否かの通常動作時の認証時には、第１の通信手段のみが通常動作用のＩＤ情報を送信することとなる。このため、第１の通信手段と第２の通信手段とが適切且つ択一的に動作することとなり、車載装置が登録モードへ移行して良いか否かの認証と、車載装置が所定の動作を行って良いか否かの通常動作時の認証とを、適切に実施することができる。
【発明を実施するための最良の形態】
【００２３】
以下に、本発明が適用された実施形態の車両用電子キーシステムについて説明する。
まず図１は、実施形態の車両用電子キーシステム１を表す構成図である。
図１に示すように、この車両用電子キーシステム１は、車両の使用者に携帯される携帯機３と、車両に搭載された車載装置５とからなり、車載装置５が、携帯機３との間で無線通信によりＩＤ情報を照合して、その照合結果に基づき車両のドアの施解錠やエンジンの始動制御などを行うものである。
【００２４】
そして、車載装置５は、マイコン（マイクロコンピュータ）７と、車外の所定領域（以下、第１領域という）にリクエスト電波を送信するコイルアンテナ９と、上記リクエスト電波に応じて携帯機３から送信されるＩＤコード電波を受信するアンテナ１１と、車室内の所定領域（以下、第２領域という）に電磁誘導式無線通信用の電磁界を発生させると共に、その電磁界に応じて携帯機３から送信されるトランスポンダ電波を受信するコイルアンテナ１３とを備えている。尚、コイルアンテナ１３は、第１周波数と第２周波数との２種類の電磁界を発生させることができると共に、その２種類の周波数のトランスポンダ電波を受信することができるようになっている。また、コイルアンテナ１３が電磁界を発生される上記第２領域は、例えば、エンジンを始動させる際にオンされるスタートボタンを中心とした半径６０〜７０ｃｍ程度の領域である。
【００２５】
そして更に、車載装置５は、マイコン７から出力されるリクエスト信号で搬送波を変調することにより該リクエスト信号を含むリクエスト電波を生成し、そのリクエスト電波をコイルアンテナ９に送信させる送信回路１５と、アンテナ１１により受信されたＩＤコード電波を復調して、その電波に含まれていたＩＤコードをマイコン７に入力させる受信回路１７と、マイコン７から指令される周波数（第１周波数又は第２周波数）の電磁界をコイルアンテナ１３に発生させると共に、そのコイルアンテナ１３によって受信されたトランスポンダ電波を復調して、その電波に含まれていたＩＤコードをマイコン７に入力させるトランスポンダ送受信回路１９とを備えている。
【００２６】
一方、携帯機３は、樹脂によって略直方体に形成された本体（以下、携帯機本体ともいう）２１の内部に、マイコン２３と、車載装置５からの上記リクエスト電波を受信するコイルアンテナ２５と、そのコイルアンテナ２５によって受信されたリクエスト電波を復調して、その電波に含まれていたリクエスト信号をマイコン２３に入力させる受信回路２７と、ＩＤコード電波を送信するためのアンテナ２９と、マイコン２３から出力されるＩＤコードで搬送波を変調することにより該ＩＤコードを含むＩＤコード電波を生成し、そのＩＤコード電波をアンテナ２９に送信させる送信回路３１と、マイコン２３，受信回路２７，及び送信回路３１に動作用の電力を供給する電池３３とを備えている。尚、マイコン２３が送信回路３１に出力するＩＤコード（つまり、ＩＤコード電波に含ませるＩＤコード）は、当該携帯機３に固有のものであり、ドアの施解錠を行うか否かの認証を行うためのドア施解錠認証用ＩＤコードである。そして、このＩＤコードは、マイコン２３内の不揮発性メモリ（図示省略）に予め記憶されている。
【００２７】
更に、携帯機本体２１の内部には、車載装置５のコイルアンテナ１３によって発生される第１周波数の電磁界を受けると、その電磁界から電力を生成して、その電力により動作するトランスポンダ３５が備えられている。そして、トランスポンダ３５は、第１周波数の電磁界を受けて動作すると、当該トランスポンダ３５内の不揮発性メモリ（図示省略）に予め記憶されているＩＤコードを含んだトランスポンダ電波を送信する。
【００２８】
また、図２（ａ）に示すように、携帯機本体２１には、メカニカルなエマージェンシーキー３７を着脱可能に収納するための収納部３９が設けられており、通常の状態では、その収納部３９にエマージェンシーキー３７が挿入されて収納されている。尚、エマージェンシーキー３７は、電池３３の電力が無くなって携帯機３のアンテナ２９からＩＤコード電波を送信することができなくなった場合に、車両のドアに設けられているキーシリンダに差し込んで該ドアを解錠又は施錠するために用いられる他、トランクや車室内のグローブボックスを解錠又は施錠するためにも用いられる。
【００２９】
更に、そのエマージェンシーキー３７には、車載装置５の上記コイルアンテナ１３によって発生される第２周波数の電磁界を受けると、その電磁界から電力を生成して、その電力により動作するトランスポンダ４１が備えられている。そして、トランスポンダ４１は、第２周波数の電磁界を受けて動作すると、当該トランスポンダ４１内の不揮発性メモリ（図示省略）に予め記憶されているＩＤコードを含んだトランスポンダ電波を送信する。
【００３０】
尚、上記２つのトランスポンダ３５，４１がトランスポンダ電波としてそれぞれ送信する各ＩＤコードは、両方共に当該携帯機３に固有のものであるが、それらは互いに異なるコードである。そして、トランスポンダ３５が送信するＩＤコードは、エンジンを始動させるか否かの認証を行うためのエンジン始動認証用ＩＤコードであり、トランスポンダ４１が送信するＩＤコードは、携帯機登録時に正規ユーザーであることを車載装置５に認識させるためのキー登録認証用ＩＤコード（キー登録認証用ＩＤ情報）である。
【００３１】
そして更に、本実施形態の電子キーシステム１において、携帯機３には、トランスポンダ４１が内蔵されたエマージェンシーキー３７とは別に、図２（Ｂ）に示す如くトランスポンダ４１が内蔵されていないエマージェンシーキー３７’も、付属品として用意されている。そして、図２（Ａ），（Ｂ）に示すように、その２つのエマージェンシーキー３７，３７’のうちの何れか一方を、本体２１の収納部３９に択一的に収納することができるようになっている。
【００３２】
尚、図２（Ａ），（Ｂ）における左右方向の矢印は、エマージェンシーキー３７，３７’が携帯機本体２１の収納部３９に対して抜き差し可能であることを表している。また、以下の説明において、特に記載がなければ、携帯機本体２１の収納部３９には、トランスポンダ４１が内蔵されたエマージェンシーキー３７が収納されているものとする。
【００３３】
次に、以上のような構成の車両用電子キーシステム１において、車両のドアが施錠（ロック）状態から解錠（アンロック）されるまでに携帯機３と車載装置５とで行われる動作の内容について説明する。
【００３４】
まず、携帯機３の電池３３に電力がある場合について説明する。
車載装置５のコイルアンテナ９からは、車外の上記第１領域にリクエスト電波が一定時間毎に送信される。
【００３５】
そして、携帯機３が第１領域に入ると、その携帯機３では、車載装置５からのリクエスト電波がコイルアンテナ２５により受信され、受信回路２７からマイコン２３にリクエスト信号が入力される。そして、その携帯機３のマイコン２３は、リクエスト信号が入力されると、送信回路３１にＩＤコードを出力して、そのＩＤコードを含んだＩＤコード電波をアンテナ２９から送信させる。
【００３６】
すると、その携帯機３からのＩＤコード電波が車載装置５のアンテナ１１によって受信される。そして、車載装置５では、そのＩＤコード電波に含まれていたＩＤコードが受信回路１７からマイコン７に入力され、マイコン７は、その携帯機３から受信したＩＤコードと当該マイコン７内の不揮発性メモリ７ａに登録されているドア施解錠認証用ＩＤコードとが一致しているか否かを判定し、両コードが一致していれば、ドアロック制御装置（図示省略）にアンロック許可信号を出力する。これにより、例えば、その時点から一定時間以内に人が車両のドアノブ付近に設けられているタッチセンサに触ると、ドアロック制御装置が、そのドアのドアロックアクチュエータを駆動して解錠することとなる。
【００３７】
このため、使用者は、携帯機３（詳しくは、車載装置５にドア施解錠認証用ＩＤコードが登録済みの携帯機３であり、車載装置５側の上記メモリ７ａにマイコン２３内のＩＤコードが既に登録されている携帯機３）を携帯して上記タッチセンサに触れば、ドアを解錠させることができる。
【００３８】
一方、携帯機３の電池３３に電力がない場合には、携帯機３のアンテナ２９からドアを解錠させるためのＩＤコード電波を送信することができないため、携帯機本体２１の収納部３９からエマージェンシーキー３７を抜き出し、そのエマージェンシーキー３７を車両のドアのキーシリンダに差し込んで該ドアを解錠すれば良い。
【００３９】
次に、車載装置５のマイコン７は、車両のエンジンが停止している場合に図３の処理を実行する。
そして、図３に示すように、マイコン７は、まずＳ１１０にて、メモリ７ａにＩＤコード（ドア施解錠認証用ＩＤコード及びエンジン始動認証用ＩＤコード）を登録する登録モードと通常モードとの何れに移行するかを判定する。尚、ここでは、当該マイコン７と信号線を介して接続される車外のサービス装置から登録モードへの移行を指示する登録モード指示信号が入力されている場合に、登録モードへ移行すると判定し、その登録モード指示信号が入力されていない通常時には、通常モードへ移行すると判定する。
【００４０】
このＳ１１０で通常モードへ移行すると判定した場合には（Ｓ１１０：ＮＯ）、Ｓ１２０に進んで、車室内のステアリングホイール付近に設けられているエンジン始動用のスタートボタンがオンされるまで待ち、そのスタートボタンがオンされると、続くＳ１３０にて、携帯機本体２１内のトランスポンダ３５にアクセスする。つまり、コイルアンテナ１３から第１周波数の電磁界を発生させる。
【００４１】
そして、続くＳ１４０にて、一定時間内にコイルアンテナ１３によってトランスポンダ電波が受信され、しかも、そのトランスポンダ電波に含まれていたＩＤコードが当該マイコン７内の不揮発性メモリ７ａに登録されているエンジン始動認証用ＩＤコードと一致しているか否かを判定する、といった手順の認証処理を行う。
【００４２】
そして、このＳ１４０での認証処理の条件が成立しなければ、Ｓ１２０に戻る。
また、Ｓ１４０での認証処理の条件が成立した（認証ＯＫ）ならば、Ｓ１５０に進んで、エンジン始動制御装置（図示省略）に始動許可信号を出力する。これにより、エンジン始動制御装置がスタータモータを駆動してエンジンを始動させることとなる。
【００４３】
このため、車載装置５のマイコン７にサービス装置が接続されていない通常状態において、使用者は、携帯機３（詳しくは、車載装置５にエンジン始動認証用ＩＤコードが登録済みの携帯機３であり、車載装置５側の上記メモリ７ａにトランスポンダ３５内のＩＤコードが既に登録されている携帯機３）を携帯してスタートボタンをオンすれば、エンジンを始動させることができる。
【００４４】
一方、上記Ｓ１１０で登録モードへ移行すると判定した場合には（Ｓ１１０：ＹＥＳ）、Ｓ１６０に進む。そして、このＳ１６０にて、上記スタートボタンがオンされるまで待ち、そのスタートボタンがオンされると、続くＳ１７０にて、携帯機本体２１に収納されるエマージェンシーキー３７内のトランスポンダ４１にアクセスする。つまり、コイルアンテナ１３から第２周波数の電磁界を発生させる。
【００４５】
そして、続くＳ１８０にて、一定時間内にコイルアンテナ１３によってトランスポンダ電波が受信され、しかも、そのトランスポンダ電波に含まれていたＩＤコードが当該マイコン７内の不揮発性メモリ７ａに登録されているキー登録認証用ＩＤコードと一致しているか否かを判定する、といった手順の認証処理を行う。
【００４６】
そして、このＳ１８０での認証処理の条件が成立しなければ、Ｓ１６０に戻る。
また、Ｓ１８０での認証処理の条件が成立した（認証ＯＫ）ならば、Ｓ１９０に進んで、携帯機を追加登録するための登録処理を開始し、これにより、車載装置５の動作モードは、本当に登録モードとなる。
【００４７】
尚、登録処理は、例えば以下の手順で行われる。
まず、車両内の特定のスイッチ（以下、第１スイッチという）がオンされると、コイルアンテナ９からリクエスト電波を送信する。そして、そのリクエスト信号に対応してアンテナ１１により受信されたＩＤコード電波に含まれていたＩＤコードを、新規携帯機用のドア施解錠認証用ＩＤコードとしてメモリ７ａに追加登録する。
【００４８】
また、車両内の他の特定のスイッチ（以下、第２スイッチという）がオンされると、コイルアンテナ１３から第１周波数の電磁界を発生させる。そして、その電磁界に対応してコイルアンテナ１３により受信されたトランスポンダ電波に含まれていたＩＤコードを、新規携帯機用のエンジン始動認証用ＩＤコードとしてメモリ７ａに追加登録する。
【００４９】
このため、新規の携帯機３を追加登録したい場合には、まず、車載装置５のマイコン７にサービス装置を接続して、そのサービス装置からマイコン７へ登録モード指示信号を入力させる。そして、トランスポンダ４１付きのエマージェンシーキー３７を携帯機本体２１の収納部３９に収納させた状態又は単体で携帯しながらスタートボタンをオンすれば、車載装置５の動作モードを登録モードに移行させることができる。次に、追加登録したい新規の携帯機３を車外の上記第１領域内に持ってきて、上記第１スイッチをオンすれば、その新規携帯機３のマイコン２３に内蔵されているＩＤコードが、車載装置５側の上記メモリ７ａにドア施解錠認証用ＩＤコードとして追加登録され、また、追加登録したい新規の携帯機３を車室内の上記第２領域内に持ってきて、上記第２スイッチをオンすれば、その新規携帯機３のトランスポンダ３５に内蔵されているＩＤコードが、車載装置５側の上記メモリ７ａにエンジン始動認証用ＩＤコードとして追加登録されることとなる。
【００５０】
尚、このような携帯機の追加登録作業は、例えばカーディーラーなどの専用整備工場で実施されるものである。また、トランスポンダ４１付きのエマージェンシーキー３７を備えた元の携帯機３（即ち、携帯機の追加登録が可能な携帯機）は、車両の販売時に、その車両の購入者に対して、車両とセットで渡されるものである。
【００５１】
以上のような本実施形態の車両用電子キーシステム１では、携帯機３の本体２１に設けられた収納部３９に着脱可能に収納されるエマージェンシーキー３７に、携帯機登録時に正規ユーザーであることを車載装置５に認識させるためのキー登録認証用ＩＤコード（第２のＩＤ情報に相当）を、トランスポンダ４１という形で付加するようにしている。
【００５２】
このため、前述した（２）の問題を解決することができる。つまり、エマージェンシーキー３７は、携帯機３の一構成要素であり、携帯機本体２１と一体で携帯されるため、紛失してしまうことは希であり、また、携帯機の追加登録をしたいと思ってカーディーラーなどに出向く際に、そのエマージェンシーキー３７を持っていくのを忘れてしまうという可能性は非常に低いからである。
【００５３】
また、車両をレンタカーとして使用するのであれば、図２（Ｂ）に示す如くトランスポンダ４１が内蔵されていないエマージェンシーキー３７’を収納部３９に収納させた携帯機３を、車を貸す相手に渡すようにすれば良い。
【００５４】
このようにすれば、上記（１）の問題を回避しつつ、車を貸した相手にエマージェンシーキーの本来の機能も利用させることができる。つまり、車を借りた人は、キー登録認証用ＩＤコードが付加されたエマージェンシーキー３７（トランスポンダ４１）を持たないため、勝手に新規の携帯機を追加登録しようとしても不可能であり、また、エマージェンシーキー３７’は持っているため、携帯機３の電池３３が切れた場合にドアを手動で施解錠したり、トランクやグローブボックスの施解錠を任意に行うことができる。
【００５５】
また、ホテルやレストランなどで車を従業員に一時的に運転させるような場合は、図２（Ｃ）に示すように、車を貸す相手へ、エマージェンシーキー３７，３７’を抜き取った携帯機本体２１だけを渡すようにすれば良い。
【００５６】
このようにすれば、勝手に新規の携帯機が追加登録されてしまうことを防止することができる上に、トランクやグローブボックスが勝手に開けられてしまうことも防止することができる。
【００５７】
そして更に、本実施形態の車両用電子キーシステム１では、エマージェンシーキー３７に内蔵された電子式のＩＤコードを、携帯機登録時のみ有効化するようにしている。
つまり、車載装置５では、マイコン７が、メモリ７ａにＩＤコードを登録する登録モードへ移行して良いか否かを判断する際（Ｓ１１０：ＹＥＳ，Ｓ１６０：ＹＥＳ）には、携帯機３の本体２１内に備えられたトランスポンダ３５とエマージェンシーキー３７に備えられたトランスポンダ４１とのうち、トランスポンダ４１のみが反応する要求としての第２周波数の電磁界を送信し、また、エンジン始動の動作（所定の動作に相当）を行うか否かを判断する際（Ｓ１１０：ＮＯ，Ｓ１６０：ＹＥＳ）には、トランスポンダ３５，４１のうち、トランスポンダ３５のみが応答する要求としての第１周波数の電磁界を送信するようになっている。
【００５８】
このため、２つのトランスポンダ３５，４１のうち、車載装置５が登録モードへ移行して良いか否かの認証時には、トランスポンダ４１のみがＩＤコードを送信することとなり、車載装置５がエンジン始動の動作を行って良いか否かの通常動作時の認証時には、トランスポンダ３５のみがＩＤコードを送信することとなる。よって、用途の異なる２つのトランスポンダ３５，４１が適切且つ択一的に動作することとなり、車載装置５が登録モードへ移行して良いか否かの認証と、車載装置５がエンジン始動の動作を行って良いか否かの通常動作時の認証とを、適切に実施することができる。
【００５９】
尚、本実施形態では、携帯機本体２１内の送信回路３１及びアンテナ２９とトランスポンダ３５との両方又は一方が、請求項１に記載の通信手段に相当している。また、携帯機本体２１内のトランスポンダ３５が、請求項４に記載の通信手段（第１の通信手段）に相当している。そして、エマージェンシーキー３７に設けられたトランスポンダ４１が第２の通信手段に相当している。また、車載装置５におけるマイコン７内のメモリ７ａが記憶部に相当している。そして、ＩＤコードがＩＤ情報に相当している。
【００６０】
以上、本発明の一実施形態について説明したが、本発明は、種々の形態を採り得ることは言うまでもない。
例えば、携帯機３にドアの施錠と解錠とを行うためのボタンを設け、そのボタンの操作に応じて、携帯機３のアンテナ２９から車載装置５へＩＤコードを含んだ電波が送信されることにより、ドアのロック／アンロックが行われるような構成でも良い。
【００６１】
また、エマージェンシーキー３７にＩＤコードを付加する手法としては、トランスポンダ４１のような電子式に限らず、エマージェンシーキー３７に、ＩＤコードとしての文字や数字を彫り込んだり、貼り付けたり、印刷するなどして、表記しておくようにしても良い。尚、この場合には、そのエマージェンシーキー３７に表示されたＩＤコードを例えば光学的に読み取って車載装置５のマイコン７へ入力させる装置を用意したり、そのＩＤコードを作業者が手作業で上記マイコン７に入力させるための装置を用意すれば良い。
【００６２】
一方、上記実施形態では、エマージェンシーキー３７に付加されたＩＤコードを、携帯機の追加登録時にのみ使用するようにしたが、そのＩＤコードは、正規ユーザーであることを車載装置５に認識させるためのものであることから、例えば、車両内において、互いに暗号通信している複数のＥＣＵ（電子制御装置）のうちの何れかを交換する際の正規ユーザー認証用にも用いることができる。
【００６３】
つまり、車両においては、例えば車両盗難防止効果を向上させるために、複数のＥＣＵ同士が暗号通信して、その暗号通信が成立しなければ車両を動かすことができないようにする制御システムの搭載が考えられるが、そのような制御システムの場合、何れかのＥＣＵが故障して、そのＥＣＵを新規のＥＣＵに交換する際には、新規のＥＣＵに既存のＥＣＵ間で共有していた暗号情報を登録しなければならない。そこで、その暗号情報の登録を許可するか否かの認証にも、エマージェンシーキー３７に付加したＩＤコードを用いるようにすることができる。
【００６４】
そして、このようにすれば、車を借りた人が、ＥＣＵ間の暗号通信によるセキュリティを破るために、勝手にＥＣＵを交換してしまうといった不正行為を防止することができ、また、車両の本当のユーザーが、故障したＥＣＵを交換したい時に、必要なＩＤ情報（即ち、ＥＣＵの交換を実施可能な正規ユーザーであることを証明するＩＤ情報）を携帯していなくてＥＣＵの交換を即座に行うことができない、といった事態を招くこともない。
【図面の簡単な説明】
【００６５】
【図１】実施形態の車両用電子キーシステムを表す構成図である。
【図２】携帯機を説明する説明図である。
【図３】車載装置で実行される処理を表すフローチャートである。
【符号の説明】
【００６６】
１…車両用電子キーシステム、３…携帯機、５…車載装置、７，２３…マイコン、７ａ…不揮発性メモリ、９，１３，２５…コイルアンテナ、１１，２９…アンテナ、１５，３１…送信回路、１７，２７…受信回路、１９…トランスポンダ送受信回路、２１…本体（携帯機本体）、３３…電池、３５，４１…トランスポンダ、３７，３７’…エマージェンシーキー、３９…収納部、４１…トランスポンダ
【図１】
2005083011.tif 000003
【図２】
2005083011.tif 000004
【図３】
2005083011.tif 000005